(57)【要約】【課題】携帯電話のような小型の端末では、その内部に保存されているデータファイルの交換を主目的とした通信が行えるだけで、プリントに関する様々な設定を行うことはできなかった。【解決手段】携帯電話から無線で送信された、印刷に係る条件を含む設定データを受信すると、その受信した設定データに従って印刷制御部２１３における印刷に係る条件を設定し、携帯電話から無線で送信された画像データをイメージデータに展開して印刷制御部２１３で印刷する。また携帯電話から印刷に係る条件を含む設定データを受信しないときは、デフォルト印刷設定保存部２１４に保存されているデフォルトの印刷条件を設定し、携帯電話から無線で送信された画像データをイメージデータに展開して印刷制御部２１３で印刷する。【選択図】  図２
2005020101.tif 000002
【特許請求の範囲】
【請求項１】
画像データ供給デバイスから無線により送信されるデータを受信して記録する記録装置であって、
前記画像データ供給デバイスから送信された、記録に係る条件を含む設定データを受信すると当該受信した設定データに従って記録に係る条件を設定する設定手段と、
前記設定データとは別に前記画像データ供給デバイスから送信された、前記画像データ供給デバイスに依存したデータ形式を有するデータに含まれる画像データを抽出する抽出手段と、
前記抽出手段により抽出された画像データを復号してイメージデータに展開する展開手段と、
前記展開手段により展開されたイメージデータに基づいて画像を記録する記録制御手段とを有し、
前記記録制御手段は、前記設定手段により前記記録に係る条件が設定されている場合に当該設定された条件に従って画像を記録することを特徴とする記録装置。
【請求項２】
前記記録制御手段は、前記設定手段により設定された前記記録に関する条件を、前記設定手段により設定された後に最初に前記抽出手段により抽出された画像データにのみ適用することを特徴とする請求項１に記載の記録装置。
【請求項３】
前記記録制御手段は、前記設定手段により設定された前記記録に関する条件を、記録装置の電源がオフとされるまでの条件として適用することを特徴とする請求項１に記載の記録装置。
【請求項４】
前記記録制御手段は、前記設定手段により設定された前記記録に関する条件をデフォルトの条件として適用することを特徴とする請求項１に記載の記録装置。
【請求項５】
更に、前記無線による第１インターフェースとは別に、画像供給デバイスからのデータを受信する第２インターフェースを有し、
前記設定手段は前記第１及び第２インターフェースのそれぞれに対して前記記録に関する条件を設定することを特徴とする請求項１乃至４のいずれか１項に記載の記録装置。
【請求項６】
画像データ供給デバイスから無線により送信されるデータを受信して記録する記録装置であって、
ユーザにより操作可能なキーを備えるキー操作手段と、
前記キー操作手段による所定のキー操作に応じて記録に係る条件を設定する設定手段と、
前記画像データ供給デバイスから送信された、前記画像データ供給デバイスに依存したデータ形式を有するデータに含まれる画像データを抽出する抽出手段と、
前記抽出手段により抽出された画像データを復号してイメージデータに展開する展開手段と、
前記展開手段により展開されたイメージデータに基づいて画像を記録する記録制御手段とを有し、
前記記録制御手段は、前記設定手段により前記記録に係る条件が設定されている場合に当該設定された条件に従って画像を記録することを特徴とする記録装置。
【請求項７】
前記記録制御手段は、前記設定手段により設定された前記記録に関する条件を、前記設定手段により設定された後に最初に前記抽出手段により抽出された画像データにのみ適用することを特徴とする請求項６に記載の記録装置。
【請求項８】
前記記録制御手段は、前記設定手段により設定された前記記録に関する条件を、記録装置の電源がオフとされるまでの条件として適用することを特徴とする請求項６に記載の記録装置。
【請求項９】
前記記録制御手段は、前記設定手段により設定された前記記録に関する条件をデフォルトの条件として適用することを特徴とする請求項６に記載の記録装置。
【請求項１０】
更に、前記無線による第１インターフェースとは別に、画像供給デバイスからのデータを受信する第２インターフェースを有し、
前記設定手段は前記第１及び第２インターフェースのそれぞれに対して前記記録に関する条件を設定することを特徴とする請求項６乃至９のいずれか１項に記載の記録装置。
【請求項１１】
記録媒体に画像を記録する記録装置であって、
画像データ供給デバイスから無線により送信されるデータを受信するための第１インターフェースと、
外部に接続されるホスト機器から送信されるデータを受信するための第２インターフェースと、
前記第１インターフェースにより前記画像データ供給デバイスに依存したデータ形式を有するデータを受信したとき、当該データに含まれる画像データを抽出し、抽出された画像データを復号してイメージデータに展開して画像を記録する第１の記録制御手段と、
前記外部に接続されるホスト機器から前記第２インターフェースを介して送信されたデータに従って画像を記録する第２の記録制御手段と、
画像の記録に係る条件を前記第１及び第２インターフェースのそれぞれについて設定する設定手段と、
を有することを特徴とする記録装置。
【請求項１２】
前記第１及び第２記録制御手段のそれぞれは、前記設定手段により前記第１及び第２インターフェースのそれぞれについて設定された前記記録に関する条件を、前記設定手段により前記記録に関する条件が設定された後の画像の記録にのみ適用することを特徴とする請求項１１に記載の記録装置。
【請求項１３】
前記第１及び第２記録制御手段のそれぞれは、前記設定手段により前記第１及び第２インターフェースのそれぞれについて設定された設定された前記記録に関する条件を、記録装置の電源がオフとされるまでの条件として適用することを特徴とする請求項１１に記載の記録装置。
【請求項１４】
前記第１及び第２記録制御手段のそれぞれは、前記設定手段により前記第１及び第２インターフェースのそれぞれについて設定された設定された前記記録に関する条件を、前記第１及び第２インターフェースのそれぞれのデフォルトの条件として適用することを特徴とする請求項１１に記載の記録装置。
【請求項１５】
記録媒体に画像を記録する記録装置であって、
画像データ供給デバイスから無線により送信されるデータを受信するための、それぞれ通信方式が異なる複数のインターフェースと、
前記複数のインターフェースのいずれかから受信したデータに従って画像を記録する記録制御手段と、
画像の記録に係る条件を、前記複数のインターフェースのそれぞれについて個別に設定する設定手段と、
を有することを特徴とする記録装置。
【請求項１６】
画像データ供給デバイスから無線により送信されるデータを受信して記録する記録装置の記録制御方法であって、
前記画像データ供給デバイスから送信された、記録に係る条件を含む設定データを受信すると当該受信した設定データに従って記録に係る条件を設定する設定工程と、
前記設定データとは別に前記画像データ供給デバイスから送信された、前記画像データ供給デバイスに依存したデータ形式を有するデータに含まれる画像データを抽出する抽出工程と、
前記抽出工程で抽出された画像データを復号してイメージデータに展開する展開工程と、
前記展開工程で展開されたイメージデータに基づいて画像を記録する記録制御工程とを有し、
前記記録制御工程では、前記設定工程で前記記録に係る条件が設定されている場合に当該設定された条件に従って画像を記録することを特徴とする記録制御方法。
【請求項１７】
画像データ供給デバイスから無線により送信されるデータを受信して記録する記録装置における記録制御方法であって、
ユーザにより操作されるキー情報を入力するキー入力工程と、
前記キー入力工程による所定のキー操作に応じて記録に係る条件を設定する設定工程と、
前記画像データ供給デバイスから送信された、前記画像データ供給デバイスに依存したデータ形式を有するデータに含まれる画像データを抽出する抽出工程と、
前記抽出工程で抽出された画像データを復号してイメージデータに展開する展開工程と、
前記展開工程で展開されたイメージデータに基づいて画像を記録する記録制御工程とを有し、
前記記録制御工程では、前記設定工程で前記記録に係る条件が設定されている場合に当該設定された条件に従って画像を記録することを特徴とする記録制御方法。
【請求項１８】
記録媒体に画像を記録する記録制御方法であって、
第１インターフェースを介して画像データ供給デバイスから無線により送信されるデータを受信する工程と、
第２インターフェースを介して外部に接続されるホスト機器から送信されるデータを受信する工程と、
前記第１インターフェースにより前記画像データ供給デバイスに依存したデータ形式を有するデータを受信したとき、当該データに含まれる画像データを抽出し、抽出された画像データを復号してイメージデータに展開して画像を記録する第１の記録制御工程と、
前記外部に接続されるホスト機器から前記第２インターフェースを介して送信されたデータに従って画像を記録する第２の記録制御工程と、
画像の記録に係る条件を前記第１及び第２インターフェースのそれぞれについて設定する設定工程と、
を有することを特徴とする記録制御方法。
【発明の詳細な説明】
【０００１】
【発明の属する技術分野】
本発明は、外部から無線により送信されたデータを受信して記録可能な記録装置及びその記録制御方法に関するものである。特に本発明は、例えば携帯電話などの画像供給デバイスから無線で送信された画像データを含むデータを受信して記録できる記録装置及びその記録制御方法に関するものである。
【０００２】
【従来の技術】
従来のプリンタは、接続されたコンピュータをホスト装置とし、そのホスト装置から送信される画像データを受け取り、その画像データに従って印刷を行うものが一般的であった。これに対して近年、デジタルカメラの普及に伴い、デジタルカメラに着脱され、そのカメラで撮影した画像データを記憶しているメモリカードを取り付け可能なスロットをプリンタに設け、そのメモリカードに記憶されている画像データを直接プリンタが読み取って印刷可能としたものや、プリンタとデジタルカメラとをＵＳＢ（Ｕｎｉｖｅｒｓａｌ  Ｓｅｒｉａｌ  Ｂｕｓ）や特別なインターフェースを介して接続し、デジタルカメラ殻の画像データをプリンタが直接受け取って印刷可能としたものが知られている。このようなプリンタの構成では、プリンタはホスト装置を介することなく画像をプリント可能となっており、その印刷に際して、印刷形式の指示をプリンタに設けられた操作パネルを使用して行ったり、或いは接続されているデジタルカメラの操作パネルを用いて行えるように構成されていた。
【０００３】
更に、近年においては、携帯電話にデジタルカメラと同様な撮像機能を持たせ、一般のデジタルカメラと同等の記録画素数（解像度）で撮像可能なものも知られている。
【０００４】
また携帯電話には、外部の機器との通信のための赤外線通信用のインターフェースを備え、この赤外線を利用して無線で外部の機器と通信可能としたものも出現している。このような携帯電話には、テレビのリモコンの代用として活用できるものや、電話回線を介することなく携帯電話同士で、データや撮像した画像の交換が可能なものもある。
【０００５】
また、このような赤外線インターフェースを備えたインクジェットプリンタの構成が特許文献１に開示されている。
【０００６】
【特許文献１】
特開２００１−７５７６５号
【０００７】
【発明が解決しようとする課題】
この特許文献１に記載のインクジェットプリンタでは、赤外線インターフェースを含む複数のインターフェースを備え、複数のインターフェースの切替えを監視可能とした構成が開示されているが、このような赤外線インターフェースを使用してて、例えば前述の携帯電話の赤外線インターフェースを利用して転送される画像データをプリント可能とする構成については何ら記載はない。
【０００８】
上述の携帯電話では、赤外線インターフェースを利用した無線通信によりデータ交換が可能になっているものの、このような携帯電話に設けられたデジタルカメラの機能により撮像した画像をプリントするためには、以下のような手続が必用となる。即ち、電話回線を利用したインターネットを介して、その携帯電話から画像データをコンピュータに送信し、その画像データを受信したコンピュータに一度保存した後に、そのコンピュータからプリンタへ画像データを送信して印刷する必要がある。この従来の構成では、プリントするために複雑で多くの操作が必要となる。
【０００９】
またコンピュータに接続される一般ユーザ向けのプリンタでは、印刷のための操作や設定を、そのプリンタに接続されているコンピュータによって行っている。このためプリンタ単体では、複雑な操作が行えないよう構成されていた。また携帯電話の赤外線インターフェースを利用した無線通信により送信される画像データの形式や、そのデータフォーマットは、各メーカ毎に異なっている。このため、これら携帯電話に設けられている赤外線インターフェースを利用して、同じ赤外線インターフェースを備えているプリンタに画像データを送信して印刷を行うことを考えたとしても、利便性が良く、確実に、その携帯電話で撮影した画像を印刷できる手法が確立されていなかった。
【００１０】
また一方、従前のように、接続されているコンピュータにインストールされたプリンタドライバを利用してプリンタに画像データを送信して印刷する場合には、プリントの指示毎にプリント枚数やプリントサイズ、プリントに用いる記録媒体である用紙の種類、印刷品位といった設定が行われる。そして、このようにして設定された情報が付加された画像データをプリンタへ送出して、ユーザが所望する設定でプリントを行うことができる。しかしながら、携帯電話のような小型の端末では、その内部に保存されているデータ、ファイルの交換を主目的とした通信が行えるだけであり、プリントに関する様々な設定を行うことはできなかった。また、高機能なプリンタドライバの機能を携帯電話に持たせることは、携帯電話機のコスト増につながり実用的ではない。
【００１１】
本発明は上述の従来の課題に着目してなされたものであり、無線による通信により画像供給デバイスから画像を受信して記録するとともに、画像供給デバイスから記録に関する条件を任意に設定できる記録装置及び記録制御方法を提供することを目的とする。
【００１２】
また本発明の目的は、記録装置におけるキー操作に応じて任意の記録条件を設定することができる記録装置及び記録制御方法を提供することにある。
【００１３】
また本発明の目的は、複数のインターフェースを有し、各インターフェースごとに任意の記録条件を設定して記録できる記録装置及び記録制御方法を提供することにある。
【００１４】
【課題を解決するための手段】
上記目的を達成するために本発明の記録装置は以下のような構成を備える。即ち、
画像データ供給デバイスから無線により送信されるデータを受信して記録する記録装置であって、
前記画像データ供給デバイスから送信された、記録に係る条件を含む設定データを受信すると当該受信した設定データに従って記録に係る条件を設定する設定手段と、
前記設定データとは別に前記画像データ供給デバイスから送信された、前記画像データ供給デバイスに依存したデータ形式を有するデータに含まれる画像データを抽出する抽出手段と、
前記抽出手段により抽出された画像データを復号してイメージデータに展開する展開手段と、
前記展開手段により展開されたイメージデータに基づいて画像を記録する記録制御手段とを有し、
前記記録制御手段は、前記設定手段により前記記録に係る条件が設定されている場合に当該設定された条件に従って画像を記録することを特徴とする。
【００１５】
上記目的を達成するために本発明の記録装置は以下のような構成を備える。即ち、
画像データ供給デバイスから無線により送信されるデータを受信して記録する記録装置であって、
ユーザにより操作可能なキーを備えるキー操作手段と、
前記キー操作手段による所定のキー操作に応じて記録に係る条件を設定する設定手段と、
前記画像データ供給デバイスから送信された、前記画像データ供給デバイスに依存したデータ形式を有するデータに含まれる画像データを抽出する抽出手段と、
前記抽出手段により抽出された画像データを復号してイメージデータに展開する展開手段と、
前記展開手段により展開されたイメージデータに基づいて画像を記録する記録制御手段とを有し、
前記記録制御手段は、前記設定手段により前記記録に係る条件が設定されている場合に当該設定された条件に従って画像を記録することを特徴とする。
【００１６】
上記目的を達成するために本発明の記録装置は以下のような構成を備える。即ち、
記録媒体に画像を記録する記録装置であって、
画像データ供給デバイスから無線により送信されるデータを受信するための第１インターフェースと、
外部に接続されるホスト機器から送信されるデータを受信するための第２インターフェースと、
前記第１インターフェースにより前記画像データ供給デバイスに依存したデータ形式を有するデータを受信したとき、当該データに含まれる画像データを抽出し、抽出された画像データを復号してイメージデータに展開して画像を記録する第１の記録制御手段と、
前記外部に接続されるホスト機器から前記第２インターフェースを介して送信されたデータに従って画像を記録する第２の記録制御手段と、
画像の記録に係る条件を前記第１及び第２インターフェースのそれぞれについて設定する設定手段と、を有することを特徴とする。
【００１７】
また、上記目的を達成するために本発明の記録装置は、記録媒体に画像を記録する記録装置であって、画像データ供給デバイスから無線により送信されるデータを受信するための、それぞれ通信方式が異なる複数のインターフェースと、前記複数のインターフェースのいずれかから受信したデータに従って画像を記録する記録制御手段と、画像の記録に係る条件を、前記複数のインターフェースのそれぞれについて個別に設定する設定手段と、を有することを特徴とする。
【００１８】
上記目的を達成するために本発明の記録装置における記録制御方法は以下のような工程を備える。即ち、
画像データ供給デバイスから無線により送信されるデータを受信して記録する記録装置の記録制御方法であって、
前記画像データ供給デバイスから送信された、記録に係る条件を含む設定データを受信すると当該受信した設定データに従って記録に係る条件を設定する設定工程と、
前記設定データとは別に前記画像データ供給デバイスから送信された、前記画像データ供給デバイスに依存したデータ形式を有するデータに含まれる画像データを抽出する抽出工程と、
前記抽出工程で抽出された画像データを復号してイメージデータに展開する展開工程と、
前記展開工程で展開されたイメージデータに基づいて画像を記録する記録制御工程とを有し、前記記録制御工程では、前記設定工程で前記記録に係る条件が設定されている場合に当該設定された条件に従って画像を記録することを特徴とする。
【００１９】
上記目的を達成するために本発明の記録装置における記録制御方法は以下のような工程を備える。即ち、
画像データ供給デバイスから無線により送信されるデータを受信して記録する記録装置における記録制御方法であって、
ユーザにより操作されるキー情報を入力するキー入力工程と、
前記キー入力工程による所定のキー操作に応じて記録に係る条件を設定する設定工程と、
前記画像データ供給デバイスから送信された、前記画像データ供給デバイスに依存したデータ形式を有するデータに含まれる画像データを抽出する抽出工程と、
前記抽出工程で抽出された画像データを復号してイメージデータに展開する展開工程と、
前記展開工程で展開されたイメージデータに基づいて画像を記録する記録制御工程とを有し、前記記録制御工程では、前記設定工程で前記記録に係る条件が設定されている場合に当該設定された条件に従って画像を記録することを特徴とする。
【００２０】
上記目的を達成するために本発明の記録装置における記録制御方法は以下のような工程を備える。即ち、
記録媒体に画像を記録する記録制御方法であって、
第１インターフェースを介して画像データ供給デバイスから無線により送信されるデータを受信する工程と、
第２インターフェースを介して外部に接続されるホスト機器から送信されるデータを受信する工程と、
前記第１インターフェースにより前記画像データ供給デバイスに依存したデータ形式を有するデータを受信したとき、当該データに含まれる画像データを抽出し、抽出された画像データを復号してイメージデータに展開して画像を記録する第１の記録制御工程と、
前記外部に接続されるホスト機器から前記第２インターフェースを介して送信されたデータに従って画像を記録する第２の記録制御工程と、
画像の記録に係る条件を前記第１及び第２インターフェースのそれぞれについて設定する設定工程と、を有することを特徴とする。
【００２１】
【発明の実施の形態】
以下、添付図面を参照して本発明の好適な実施の形態を詳しく説明する。
【００２２】
図１は、本発明の実施の形態に係るプリンタ１００の概略構成とカメラ付携帯電話２００との通信形態を説明するブロック図である。
【００２３】
図において、カメラ付携帯電話２００は、赤外線通信インターフェース２０５を備えており、このインターフェースを介して、撮像した画像データなどを外部機器に送信できるように構成されている。
【００２４】
次にプリンタ１００の構成について説明する。
【００２５】
プリンタ１００は、赤外線通信インターフェース１０５を備え、携帯電話２００の赤外線通信インターフェース２０５との間で通信可能に構成されている。１０１は制御部で、このプリンタ１００の動作を制御している。この制御部１０１は、ＣＰＵ、ＣＰＵにより実行されるプログラムを記憶したＲＯＭ、ＣＰＵのワークエリアとして使用され、各種データを一時的に保存するＲＡＭ等を備えている。データ処理部１１０は、この赤外線通信インターフェース１０５を介して受信したファイル（データ）を、データ解析部１１２により解析し、その解析結果に基づいてデータ抽出部１１４により、後述する印刷条件設定データや画像データを抽出する。そして、その抽出した印刷条件データや画像ファイルを保存領域１２０に格納する。そして画像データはＪＰＥＧ処理部１３０に復号された後、展開処理部１３２でイメージデータに展開され、そのイメージデータはプリントエンジン部１５０へ供給されて印刷される。この場合の印刷仕様は、この保存領域１２０に記憶されている設定情報に基づいて決定される。
【００２６】
１４０はＵＳＢインターフェースで、ＰＣ（コンピュータ）やデジタルカメラなどを接続し、このインターフェースを介して入力される画像データを受信して印刷することができる。尚、データ処理部１１０における処理及びＪＰＥＧ処理部１３０における処理は、制御部１０１のＣＰＵの制御プログラムによりソフトウェアで実行されても良い。
【００２７】
尚、本実施の形態では、抽出した画像ファイルがＪＰＥＧ形式のファイルの場合を例に挙げており、展開処理部で１３２では、圧縮ファイルである画像ファイルを復号して展開するように構成されている。
【００２８】
また、ＪＰＥＧ処理部１３０においては、展開処理部１３２で展開して得られた画像データを、プリントする用紙サイズに合わせて拡大或いは縮小する機能も併せ持っており、予め定められた用紙にプリント可能なように、画像サイズを変換する処理を行ってからプリントエンジン部１５０へ画像データを供給している。
【００２９】
［実施の形態１］
本発明の実施の形態１について説明する。この実施の形態１では、印刷条件を設定する設定ファイルをＯＢＥＸ形式で携帯電話２００からプリンタ１００に送信する。この設定ファイルが送られてこない場合は、デフォルトの印刷条件を使用して印刷を行なう。この印刷条件の設定は、１つのファイルとして、携帯電話２００からプリンタ１００に対して赤外線インターフェースを介して送信する。尚、ここでいう印刷条件には、例えば紙サイズ、紙種、レイアウト、印刷品位、画像処理方法、印刷部数などを含んでいる。この印刷条件は以下の実施の形態においても同様である。
【００３０】
尚、この実施の形態１では、設定された印刷条件の有効期間は、設定ファイルを受け取ったら、その直後の印刷データに対してのみ、その設定を有効とする。更に、その後で受信した印刷データに関しては、プリンタ１００がデフォルトで持っている設定情報を使用する。もし設定ファイルが来ない状態で、印刷データ、即ち、画像データもしくは文書データが来た場合は、プリンタ１００がデフォルトで持っている設定情報を使用して印刷を行う。
【００３１】
図２は、本実施の形態１に係るプリンタ１００の機能を説明するための機能ブロック図で、前述の図１と共通する部分は同じ記号で示している。
【００３２】
図２において、２１１は通信制御部で、赤外線インターフェース１０５を介して実行される赤外線による無線通信を制御している。印刷設定読み込み部２１２は、デフォルト印刷設定保存部２１４に保存されているデフォルトの印刷設定を読み出して一旦メモリ２１２ａに記憶し、印刷を開始する直前に、そのメモリ２１２ａに記憶されている印刷条件を印刷制御部２１３に設定する。またデータ解析部１１２は、携帯電話２００から受信したデータを解析し、そのデータに設定ファイルが含まれていると、その設定ファイルに基づいて印刷制御部２１３の印刷条件を設定する。尚、デフォルト印刷設定保存部２１４は、図１の保存領域１２０に記憶され、印刷制御部２１３は図１のプリントエンジン部１５０を含んでいる。
【００３３】
図３は、実施の形態１に係るプリンタ１００における処理を説明するフローチャートで、この処理を実行するプログラムは制御部１０１のＲＯＭに記憶されており、ＣＰＵの制御の下に実行される。
【００３４】
この処理はプリンタ１００の電源オンにより開始され、まずステップＳ１で、印刷設定読み込み部２１２がデフォルト印刷設定保存部２１４から、デフォルトの印刷設定を読み込んで、印刷設定読み込み部２１２のメモリ２１２ａに記憶する。
。ステップＳ２では、プリンタ１００の電源がオフされたかを調べ、オフされていなければステップＳ３に進み、赤外線インターフェース１０５を通して通信制御部２１１がファイルを受信する。次にステップＳ４に進み、データ解析部１１２が、その受信したファイルの中身を解析し、そのファイルが、印刷条件を設定する印刷設定ファイルかを判断する。印刷設定ファイルの場合はステップＳ５に進み、その印刷設定ファイルで指示された設定内容を一時的にメモリ２１２ａに保存する。次にステップＳ２に戻り、次のファイル受信を待つ。
【００３５】
一方、ステップＳ４で設定ファイルでない場合はステップＳ６に進み、そのファイルが印刷可能なファイル、即ち、画像ファイル或いは文書ファイルかどうかを判断し、印刷可能なファイルの場合はステップＳ７に進み、ステップＳ１或いはステップＳ５でメモリ２１２ａに保存した印刷設定の内容を読み出して印刷制御部２１３に設定する。そしてステップＳ８に進み、その設定した内容に従って印刷制御部２１３で印刷を実行する。こうして印刷が終了するとステップＳ１に戻り、印刷設定読み込み部２１２により、デフォルト印刷設定保存部２１４からデフォルトの印刷設定を読み込んでメモリ２１２ａに書き込む。
【００３６】
これにより、設定ファイルで設定された印刷条件の設定が、その次に受信した印刷データに対してのみ有効となって印刷が実行される。そして、印刷設定ファイルを受信しない限りは、デフォルト印刷設定保存部２１４に保存されている印刷設定が有効となって印刷が実行される。
【００３７】
［実施の形態２］
本発明の実施の形態２について説明する。この実施の形態２では、前述の実施の形態１と基本的に同じであるが、設定された印刷条件の有効期間をソフトパワーオフまでとする点が異なっている。但し、ソフトパワーオフされた後、再びパワーオンされた場合は、プリンタ１００のデフォルト印刷設定保存部２１４に保存されているデフォルトの印刷条件を有効とする。
【００３８】
図４は、本実施の形態２に係るプリンタ１００の機能を説明するための機能ブロック図で、前述の図１と共通する部分は同じ記号で示している。
【００３９】
図４において、２１５は一時印刷設定保存部で、データ解析部１１２で印刷設定が含まれていると判断されると、その印刷設定を一時的に保存する。尚、一時印刷設定保存部２１５及びデフォルト印刷設定保存部２１４は、図１の保存領域１２０に設けられている。
【００４０】
図５は、実施の形態２に係るプリンタ１００における処理を説明するフローチャートで、この処理を実行するプログラムは制御部１０１のＲＯＭに記憶されており、ＣＰＵの制御の下に実行される。
【００４１】
この処理はプリンタ１００の電源オンにより開始され、まずステップＳ１１で、印刷設定読み込み部２１２がデフォルト印刷設定保存部２１４から、デフォルトの印刷設定を読み込んでメモリ２１２ａに記憶する。ステップＳ１２では、プリンタ１００の電源がオフされたかを調べ、オフされていなければステップＳ１３に進み、赤外線インターフェース１０５を通して通信制御部２１１がファイルを受信するとステップＳ１４に進み、データ解析部１１２が、その受信したファイルの中身を解析し、そのファイルが、印刷設定ファイルかを判断する。印刷設定ファイルの場合はステップＳ１５に進み、その印刷設定ファイルで指示された設定内容を一時印刷設定保存部２１５に保存する。尚、この場合、メモリ２１２ａの内容もこの新たな印刷設定に更新される。次にステップＳ１２に戻り、次のファイル受信を待つ。
【００４２】
一方、ステップＳ１４で設定ファイルでない場合はステップＳ１６に進み、そのファイルが印刷可能なファイル、即ち、画像ファイル又は文書ファイルかどうかを判断し、印刷可能なファイルの場合はステップＳ１７に進み、印刷設定読み込み部２１２は、メモリ２１２ａに記憶されている印刷設定の内容を読み出して印刷制御部２１３に設定する。尚、ここでステップＳ１５が実行されていないとき、即ち、一時設定保存部２１５に印刷設定が保存されていないときは、ステップＳ１１でメモリ２１２ａに記憶されているデフォルトの印刷設定がセットされる。そしてステップＳ１８に進み、ステップＳ１７で設定した内容に従って印刷制御部２１３で印刷を実行する。次にステップＳ１２に戻って、次のファイルの受信を待つ。またステップＳ１６で印刷可能なファイルでない場合はステップＳ１２に戻り、次のファイルの受信を待つ。
【００４３】
これにより、携帯電話からの印刷設定ファイルで設定された印刷条件の設定がソフトパワーオフまでの間に有効となって印刷が実行される。
【００４４】
［実施の形態３］
本発明の実施の形態３について説明する。この実施の形態３では、前述の実施の形態１と基本的に同じであるが、設定された印刷条件の有効期間を、次に印刷条件が設定されるまでとする点が異なっている。但し、パワーオフされた後、再びパワーオンされた場合は、プリンタ１００のデフォルト印刷設定保存部２１４に保存されているデフォルトの印刷条件を有効とする。
【００４５】
図６は、本実施の形態３に係るプリンタ１００の機能を説明するための機能ブロック図で、前述の図１と共通する部分は同じ記号で示している。
【００４６】
図６において、データ解析部１１２は、印刷設定が含まれていると判断されると、その印刷設定をデフォルト印刷設定保存部２１４に保存する。尚、デフォルト印刷設定保存部２１４は、図１の保存領域１２０に設けられている。
【００４７】
図７は、実施の形態３に係るプリンタ１００における処理を説明するフローチャートで、この処理を実行するプログラムは制御部１０１のＲＯＭに記憶されており、ＣＰＵの制御の下に実行される。
【００４８】
この処理はプリンタ１００の電源オンにより開始され、まずステップＳ２１で、印刷設定読み込み部２１２がデフォルト印刷設定保存部２１４から、デフォルトの印刷設定を読み込んでメモリ２１２ａに記憶する。ステップＳ２２では、プリンタ１００の電源がオフされたかを調べ、オフされていなければステップＳ２３に進み、赤外線インターフェース１０５を通して通信制御部２１１がファイルを受信する。次にステップＳ２４に進み、データ解析部１１２が、その受信したファイルの中身を解析し、そのファイルが、印刷設定ファイルかを判断する。印刷設定ファイルの場合はステップＳ２５に進み、その印刷設定ファイルで指示された設定内容をデフォルト印刷設定保存部２１４に保存する。そして次にステップＳ２１に戻る。
【００４９】
一方、ステップＳ２４で設定ファイルでない場合はステップＳ２６に進み、そのファイルが印刷可能なファイル、即ち、画像ファイル又は文書ファイルかどうかを判断し、印刷可能なファイルの場合はステップＳ２７に進み、メモリ２１２ａに記憶されている、即ち、デフォルト印刷設定保存部２１４に記憶されている印刷設定の内容を印刷制御部２１３に設定する。そしてステップＳ２８に進み、その設定した内容に従って印刷制御部２１３で印刷を実行してステップＳ２１に戻って、次のファイルの受信を待つ。またステップＳ２６で印刷可能なファイルでない場合はステップＳ２２に戻り、次のファイルの受信を待つ。
【００５０】
これにより、一度、印刷設定ファイルを受信すると、次の印刷設定ファイルを受信するまでは、その印刷設定を有効にして印刷が実行される。
【００５１】
［実施の形態４］
本発明の実施の形態４について説明する。この実施の形態４では、前述の実施の形態１〜３のいずれかを、その設定命令の内容に基づいて判断する。
【００５２】
図８は、本実施の形態４に係るプリンタ１００の機能を説明するための機能ブロック図で、前述の図４と共通する部分は同じ記号で示している。
【００５３】
図８において、データ解析部１１２は、印刷設定が含まれていると判断されると、その印刷設定に付されているデータに基づいて、その印刷設定を一時印刷設定保存部２１５に保存するか、デフォルト印刷設定保存部２１４に保存するかを判断して保存する。
【００５４】
図９は、実施の形態４に係るプリンタ１００における処理を説明するフローチャートで、この処理を実行するプログラムは制御部１０１のＲＯＭに記憶されており、ＣＰＵの制御の下に実行される。
【００５５】
この処理はプリンタ１００の電源オンにより開始され、まずステップＳ３１で、印刷設定読み込み部２１２は、デフォルト印刷設定部２１４に保存されている設定情報を一時印刷設定保存部２１５に登録する。次にステップＳ３２に進み、印刷設定読み込み部２１２は、一時印刷設定保存部２１５から設定情報を読み込んでメモリ２１２ａに保存する。ステップＳ３３では、プリンタ１００の電源がオフされたかを調べ、オフされていなければステップＳ３４に進み、赤外線インターフェース１０５を通して通信制御部２１１がファイルを受信するとステップＳ３５に進み、データ解析部１１２が、その受信したファイルの中身を解析し、そのファイルが、印刷設定ファイルかを判断する。印刷設定ファイルでない場合はステップＳ３６に進み、そのファイルが印刷可能なファイル、即ち、画像ファイル又は文書ファイルかどうかを判断し、印刷可能なファイルの場合はステップＳ３７に進み、メモリ２１２ａに記憶されている印刷設定の内容に従って印刷制御部２１３に印刷条件を設定し、その設定した内容に従って印刷制御部２１３で印刷を実行してステップＳ３２に戻る。メモリ２１２ａの内容を、一時印刷設定保存部２１５から読み込んだ設定情報とする。
【００５６】
またステップＳ３５で、印刷設定ファイルの場合はステップＳ３９に進み、設定コマンドがデフォルト設定の変更指示かどうかを調べ、そうであればステップＳ４３に進み、デフォルト印刷設定保存部２１４の設定を書き換えてステップＳ３１に戻る。またステップＳ３９で、デフォルトの印刷設定の変更でない場合はステップＳ４０に進み、ソフトオフまでの設定変更かどうかをみる。そうであればステップＳ４２に進み、一時印刷設定保存部２１５の内容を書き換えてステップＳ３２に戻り、次のファイルの受信を待つ。またステップＳ４０で、次のファイルのみ有効の場合、印刷設定読み込み部２１２によりメモリ２１２ａの内容をデフォルトの印刷設定に変更してステップＳ３３に進み、次のファイルの受信を待つ。
【００５７】
このように本実施の形態４によれば、受信した印刷設定に応じて、デフォルト印刷設定、或いは一時印刷設定のいずれかとして保存することができ、それに応じて、受信した印刷設定の有効期間を切り替えることができる。
【００５８】
［実施の形態５］
本発明の実施の形態５について説明する。この実施の形態５では、プリンタの操作パネルのキーを操作することにより、プリンタ１００で印刷条件を設定することができる。
【００５９】
図１０は、本実施の形態５に係るプリンタ１００の機能を説明するための機能ブロック図で、前述の図８と共通する部分は同じ記号で示している。
【００６０】
図１０において、２１６はキー入力部で、プリンタ１００の操作パネルの操作キーに対応している。キー操作処理部２１７は、キー入力部２１６により入力されるキー操作を判別して印刷設定を作成し、その作成した印刷設定を一時印刷設定保存部２１５に保存している。この実施の形態５では、印刷設定の有効期間は、設定動作を行なったら、次の印刷データのみにその設定を有効とし、その次に受信した印刷データに関しては、プリンタ１００のデフォルト印刷設定保存部２１４にデフォルトで格納しているデフォルトの設定情報を使用する。もし、設定動作を行なわない状態で画像データもしくは文書データを受信した場合は、プリンタ１００のデフォルト印刷設定を使用して印刷する。
【００６１】
尚、プリンタ１００の操作パネルのキー操作による印刷設定の詳細については図１９を参照して詳しく後述する。
【００６２】
図１１は、実施の形態５に係るプリンタ１００における処理を説明するフローチャートで、この処理を実行するプログラムは制御部１０１のＲＯＭに記憶されており、ＣＰＵの制御の下に実行される。
【００６３】
この処理はプリンタ１００の電源オンにより開始され、まずステップＳ５１で印刷設定読み込み部２１２は、デフォルト印刷設定部２１４に保存されている設定情報を読み込んでメモリ２１２ａに記憶する。ステップＳ５２では、プリンタ１００の電源がオフされたかを調べ、オフされていなければステップＳ５３に進み、キー操作処理部２１７は、キー入力部２１６においてキー入力があり、そのキー操作が印刷設定変更用のキー操作かどうかを判断する。印刷設定変更のキー操作の場合はステップＳ５４に進み、一時印刷設定保存部２１５の設定を変更するとともに、メモリ２１２ａの内容を更新する。
【００６４】
ステップＳ５３で、印刷設定の変更でない場合はステップＳ５５に進み、ファイルを受信したかどうかを調べ、ファイル受信でない場合はステップＳ５２に進むが、ファイルを受信するとステップＳ５６に進み、データ解析部１１２により、印刷可能なファイルかどうか判断する。印刷可能なファイルの場合はステップＳ５８に進み、印刷設定読み込み部２１２はメモリ２１２ａに記憶されている印刷設定を読み込んで印刷制御部２１３に設定する。そしてステップＳ５９に進み、印刷制御部２１３により印刷を実行する。こうして印刷が終了すると、或いはステップＳ５７で印刷可能なファイルでない場合はステップＳ５１に進み、印刷設定読み込み部２１２は、デフォルト印刷設定部に保存されている設定情報を読み出してメモリ２１２ａに記憶する。
【００６５】
このように本実施の形態５によれば、キー操作により印刷設定を行なうことができ、その印刷設定が行なわれた後で受信した印刷データに対してのみ、その印刷条件を適用して印刷することができる。
【００６６】
［実施の形態６］
本発明の実施の形態６について説明する。この実施の形態６では、プリンタの操作パネルのキーを操作することにより、プリンタ１００で印刷条件を設定することができる点は前述の実施の形態５と同様である。本実施の形態６に係るプリンタ１００の機能を説明するための機能ブロック図は、図１０の構成と同様であるため、その図面を省略する。尚、この実施の形態６では、その印刷設定の有効期間をソフトパワーオフまでとする。キー操作により設定動作を行なった場合、次の画像もしくは文書データ、その次の画像もしくは文書データもその設定ファイルの設定値が有効とする。但し、ソフトパワーオフされた後、再びパワーオンされた場合は、プリンタ１００がデフォルトで持っている設定情報を有効とする。
【００６７】
図１２は、実施の形態６に係るプリンタ１００における処理を説明するフローチャートで、この処理を実行するプログラムは制御部１０１のＲＯＭに記憶されており、ＣＰＵの制御の下に実行される。尚、このフローチャートでは図１１と共通する部分を同じ記号で示し、その説明を省略している。
【００６８】
この図１２と前述の図１１とを比較すると明らかなように、図１２ではステップＳ５４，Ｓ５５，Ｓ５７，Ｓ５９の戻り先がステップＳ５２となっている。これにより、印刷制御部２１３に設定される印刷条件は、次に新たな印刷設定がなされるまで変更されないことになる。
【００６９】
［実施の形態７］
本発明の実施の形態７について説明する。この実施の形態７では、プリンタの操作パネルのキーを操作することにより、プリンタ１００で印刷条件を設定することができる。尚、この実施の形態７では、その印刷設定の有効期間を、次に印刷設定が行なわれるまでとしている点が実施の形態６と異なっている。即ち、印刷設定が行なわれた場合、次の画像もしくは文書データ、その次の画像もしくは文書データに対しても、その印刷設定ファイルの設定値を有効とする。また、パワーオフされた後、再びパワーオンされた後もこの設定を有効とする。但し、再び他の印刷設定が行なわれるか、又はその他デフォルト値を変更する操作が行なわれた場合には、その設定値は変更される。
【００７０】
図１３は、本実施の形態７に係るプリンタ１００の機能を説明するための機能ブロック図で、前述の図１０と共通する部分は同じ記号で示している。
【００７１】
図１３において、キー入力部２１６のキー操作により入力されるキー情報を、キー操作処理部２１７によりー操作を判別して印刷設定を作成し、その作成した印刷設定をデフォルト印刷設定保存部２１４に保存する。この実施の形態７では、印刷設定の有効期間は、次の画像もしくは文書データに対して有効としている。
【００７２】
図１４は、実施の形態７に係るプリンタ１００における処理を説明するフローチャートで、この処理を実行するプログラムは制御部１０１のＲＯＭに記憶されており、ＣＰＵの制御の下に実行される。
【００７３】
この処理はプリンタ１００の電源オンにより開始され、まずステップＳ６１で印刷設定読み込み部２１２は、デフォルト印刷設定部２１４に保存されている設定情報を読み込んでメモリ２１２ａに記憶する。ステップＳ６２では、プリンタ１００の電源がオフされたかを調べ、オフされていなければステップＳ６３に進み、キー操作処理部２１７は、キー入力部２１６においてキー入力があり、そのキー操作が印刷設定変更用のキー操作かどうかを判断する。印刷設定変更の場合はステップＳ６４に進み、デフォルト印刷設定保存部２１４の設定を変更してステップＳ６１に戻る。これによりメモリ２１２ａの内容も新たに設定された印刷設定に更新される。
【００７４】
ステップＳ６３で、印刷設定の変更でない場合はステップＳ６５に進み、ファイルを受信したかどうかを調べ、ファイル受信でない場合はステップＳ６２に進むが、ファイルを受信するとステップＳ６６に進み、データ解析部１１２により、印刷可能なファイルかどうか判断する。印刷可能なファイルの場合はステップＳ６８に進み、印刷設定読み込み部２１２は、メモリ２１２ａに記憶されている印刷設定を読み込んで印刷制御部２１３に設定する。そしてステップＳ６９に進み、印刷制御部２１３により印刷を実行する。こうして印刷が終了するとステップＳ６２に進み、印刷設定操作が行なわれるかどうかを調べて、前述した処理を実行する。
【００７５】
このように本実施の形態７によれば、印刷設定が行なわれた場合、次の画像もしくは文書データ、その次の画像もしくは文書データに対しても、その印刷設定ファイルの設定値を有効とする。また、パワーオフされた後、再びパワーオンされた後もこの設定を有効にできる。
【００７６】
［実施の形態８］
本発明の実施の形態８について説明する。この実施の形態８では、プリンタの操作パネルのキーを操作することにより、プリンタ１００で印刷条件を設定することができ、その印刷設定が次にくる印刷データのみ有効か、ソフトオフまで有効か、デフォルト設定を変更するかを、そのキー操作により設定することができる。
【００７７】
図１５は、本実施の形態８に係るプリンタ１００の機能を説明するための機能ブロック図で、前述の実施の形態と共通する部分は同じ記号で示している。ここではキー操作処理部２１７は、キー操作に応じて、印刷設定を一時印刷設定保存部２１５に保存するか、デフォルト印刷設定保存部２１４に保存するかを判定している。
【００７８】
図１６は、実施の形態８に係るプリンタ１００における処理を説明するフローチャートで、この処理を実行するプログラムは制御部１０１のＲＯＭに記憶されており、ＣＰＵの制御の下に実行される。
【００７９】
この処理はプリンタ１００の電源オンにより開始され、まずステップＳ７１で印刷設定読み込み部２１２は、デフォルト印刷設定部２１４に保存されている設定情報を読み出して一時印刷設定保存部２１５に登録する。次にステップＳ７２に進み、印刷設定読み込み部２１２は、一時印刷設定保存部２１５から設定情報を読み込んでメモリ２１２ａに記憶する。ステップＳ７３では、プリンタ１００の電源がオフされたかどうかを調べ、電源がオフされていないときはステップＳ７４に進み、キー操作処理部２１７はキー入力部２１６からのキー入力に基づいて、設定変更用のキー操作かどうかを判断する。そうであればステップＳ７９に進むが、そうでないときはステップＳ７５に進み、印刷ファイルを受信したかどうかを調べ、ファイルを受信するとステップＳ７６に進み、その画像ファイルを受信し、その受信したファイルを印刷可能かどうかを調べる。印刷可能ファイルであればステップＳ７８に進み、メモリ２１２ａに記憶されている印刷設定に基づいて印刷制御部２１３の印刷条件を設定して印刷を実行する。
【００８０】
ステップＳ７９では、キー操作により設定された内容を解析する。そしてステップＳ８０で、デフォルトの設定かどうかを判定し、そうであればステップＳ８４に進み、デフォルト印刷設定保存部２１４の設定内容を書き換えてステップＳ７１に戻る。
【００８１】
デフォルトの印刷設定の変更でないときはステップＳ８１に進み、その設定はソフトオフまで有効かどうかをみる。ソフトオフまでの設定変更の場合はステップＳ８３に進み、一時印刷設定保存部２１５の内容を書き換えてステップＳ７２に進む。またステップＳ８１で、否定の場合、即ち、次のファイルのみに対して有効の場合はステップＳ８２に進み、印刷設定読み込み部２１２のメモリ２１２ａに記憶してステップＳ７３に進み、次の動作を待つ。
【００８２】
これにより、キー操作により、その設定された印刷設定を次の印刷データに対してのみ有効とするか、或いはソフトパワーオフまで有効とするか、デフォルトの印刷設定を変更するかのいずれかを選択して設定することができる。
【００８３】
［実施の形態９］
次に実施の形態９について説明する。この実施の形態９では、複数のインターフェースを有し、各インターフェース毎に印刷設定を行なうことができる。即ち、複数のインターフェースを備えるマルチインターフェースのプリンタにおいて、プリンタの印刷設定をインターフェース毎に別に保持することができる。例えば、ＵＳＢとＩｒＤＡのインターフェースを持つプリンタにおいて、ＵＳＢ用の印刷設定と、ＩｒＤＡ用の印刷設定を行なうことができる。尚、ここでいう印刷設定とは、例えば、前述の実施の形態と同様に、紙サイズ、紙種、レイアウト、印刷品位、画像処理方法及び印刷部数などを含むものとする。
【００８４】
この印刷設定情報の有効期間、及びその変更方法については、前述の実施の形態の構成と同じである。
【００８５】
図１７は、本実施の形態９に係るプリンタ１００の機能を説明するための機能ブロック図で、前述の実施の形態と共通する部分は同じ記号で示している。ここでは、インターフェース１は赤外線インターフェースを、インターフェース２はＵＳＢインターフェースである。また図において、２１５ａは、赤外線インターフェース用の一時印刷設定保存部、２１４ａは、赤外線インターフェース用のデフォルト印刷設定保存部である。更に、２１５ｂは、ＵＳＢインターフェース用の一時印刷設定保存部、２１４ｂは、ＵＳＢインターフェース用のデフォルト印刷設定保存部である。
【００８６】
［実施の形態１０］
次に実施の形態１０について説明する。この実施の形態１０では、複数のインターフェースを有し、各インターフェースを介して入力した印刷設定を、各インターフェース毎に設定することができる。即ち、複数のインターフェースを備えるマルチインターフェースのプリンタにおいて、プリンタの印刷設定をインターフェース毎に別に保持することができる。例えば、ＵＳＢとＩｒＤＡのインターフェースを持つプリンタにおいて、各インターフェースを介して入力した印刷設定に基づいて、ＵＳＢ用の印刷設定と、ＩｒＤＡ用の印刷設定を行なうことができる。また、この印刷設定は、前述の実施の形態５の場合のように、キー入力により設定されても良い。尚、ここでいう印刷設定とは、例えば、前述の実施の形態と同様に、紙サイズ、紙種、レイアウト、印刷品位、画像処理方法及び印刷部数などを含むものとする。
【００８７】
この印刷設定情報の有効期間、及びその変更方法については、前述の実施の形態の構成と同じである。
【００８８】
図１８は、本実施の形態１０に係るプリンタ１００の機能を説明するための機能ブロック図で、前述の実施の形態と共通する部分は同じ記号で示している。ここでは、インターフェース１は赤外線インターフェースを、インターフェース２はＵＳＢインターフェースである。また図において、２１５ａは、赤外線インターフェース用の一時印刷設定保存部、２１４ａは、赤外線インターフェース用のデフォルト印刷設定保存部である。更に、２１５ｂは、ＵＳＢインターフェース用の一時印刷設定保存部、２１４ｂは、ＵＳＢインターフェース用のデフォルト印刷設定保存部である。
【００８９】
尚、これら実施の形態９及び１０における処理の手順は、前述の実施の形態１〜８に係るフローチャートで示された処理を、各インターフェースの処理に対応することにより容易に推測できるので、これらの処理を説明するフローチャートを省略する。
【００９０】
図１９は、本発明の実施の形態５〜８及び１０におけるプリンタ１００のキー操作による印刷条件の設定処理の一例を説明するフローチャートである。
【００９１】
この例では、プリンタ１００に設けられる操作キーとして、エラーを解除するためやプリント動作の中止を指示するためのリセットキーと、電源のオン、オフを指示するための電源キーがあるため、このキーを利用した例で説明する。
【００９２】
まずステップＳ１０１で、非プリント動作中に、リセットキーが押下される戸ステップＳ１０２に進み、そのリセットキーが所定時間以上継続して長押しされたかどうかを判定し、長押しされた場合にはステップＳ１０３に進み、例えばエラー表示用のＬＥＤを点灯させ、カウンタを＋１した後（Ｓ１０４）、所定時間を待って（Ｓ１０５）ＬＥＤを消灯させて点滅させる（Ｓ１０６）。次にステップＳ１０７に進み、リセットキーがオフされるまで前述のステップＳ１０２〜Ｓ１０７を実行する。こうしてステップＳ１０７でリセットキーがオフされるとステップＳ１０８に進み、ＬＥＤが点滅した回数、即ち、カウンタの計数値に応じて、その印刷設定を変更する。こうして各種の印刷設定を行えるようにする。
【００９３】
例えば、ＬＥＤが７回点滅した時点で、リセットキーを離した場合には、用紙サイズが名刺サイズとＬ版サイズとで切り替わるように設定する。また、ＬＥＤが６回点滅した時点でリセットキーを離した場合には、写真プリント用にコートされた特殊コート紙に対応したファインモードと、安価な普通紙に対応した普通紙モードとで切り替わるよう構成してもよい。
【００９４】
また、上述のようにボタンを離すまでの回数によって、設定が切り替わるのではなく、例えば、５回で離した場合には名刺サイズ、６回で離した場合にはＬ版サイズといったように、ＬＥＤの点滅回数に応じて印刷設定が定められているよう構成してもよい。
【００９５】
尚、このようなキー操作による印刷設定に関しては、本実施の形態に係るキー操作に限定されるものでなく、通常、プリンタに備えられているオンラインキーや、電源キーなどを使用しても良く、またその設定内容に関してもＬＥＤの点滅回数に限らず、ブザーなどの音によるものでも良い。
また、実施の形態９、および実施の形態１０においては、マルチインターフェースのプリンタの構成として、ＵＳＢとＩｒＤＡのインターフェースを例に挙げて説明したが、この構成に限らず、無線方式のインターフェースを複数備える構成や、有線方式においても他のインターフェースをさらに備えた構成のプリンタにおいても本発明を適用することができる。
例えば、赤外線を用いて通信するＩｒＤＡのインターフェースと、Ｂｌｕｅｔｏｏｔｈによる無線通信のインターフェースといった、無線方式のインターフェースを複数備えた構成とし、インターフェース毎に印刷条件の設定を可能とし、インターフェースに対応させて印刷条件を保存しておくようにしてもよい。
【００９６】
以上、各種実施の形態をそれぞれ独立、或いは関連付けて説明したが、これら実施の形態の構成はそれぞれ単独で実施されても良く、或いは適宜組み合わせて実施されても良いことはもちろんである。
【００９７】
［他の実施の形態］
上述した実施形態において、図１に示すプリンタ１００は、ＵＳＢインタフェース１４０、赤外線通信インターフェース１０５、等の複数のインターフェースを備えており、いずれのインターフェースも通信を行っていない状態においてはそれぞれが通信を行えるように待機しており、いずれかのインターフェースを介して通信が開始された際には、他のインターフェースによる通信が行えないよう、制御されている。また、通信が完了し、プリントに関する処理として、例えば最終ページのプリントが完了した際には、再び待機状態となる。このようにすることで、赤外線通信インターフェース１０５を介した通信中に、ＵＳＢインターフェース１４０を介して外部のＰＣからデータが送信されたとしても、先に通信中のインターフェース１０５を優先してプリントを行うことが可能となっている。  本発明の目的は前述したように、本実施の形態に係る機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００９８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００９９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【０１００】
【発明の効果】
以上説明したように本発明によれば、無線による通信により画像供給デバイスから画像を受信して記録するとともに、画像供給デバイスから記録に関する条件を任意に設定できる。
【０１０１】
また本発明におよれば、記録装置におけるキー操作に応じて任意の記録条件を設定することができる。
【０１０２】
また本発明によれば、複数のインターフェースを有し、各インターフェースごとに任意の記録条件を設定して記録できるという効果がある。
【図面の簡単な説明】
【図１】本発明の実施の形態１に係るプリンタの概略構成とカメラ付携帯電話との通信形態を説明するブロック図である。
【図２】本実施の形態１に係るプリンタの機能構成を説明する機能ブロック図である。
【図３】本発明の実施の形態１に係るプリンタにおける処理を説明するフローチャートである。
【図４】本実施の形態２に係るプリンタの機能構成を説明する機能ブロック図である。
【図５】本発明の実施の形態２に係るプリンタにおける処理を説明するフローチャートである。
【図６】本実施の形態３に係るプリンタの機能構成を説明する機能ブロック図である。
【図７】本発明の実施の形態３に係るプリンタにおける処理を説明するフローチャートである。
【図８】本実施の形態４に係るプリンタの機能構成を説明する機能ブロック図である。
【図９】本発明の実施の形態４に係るプリンタにおける処理を説明するフローチャートである。
【図１０】本実施の形態５に係るプリンタの機能構成を説明する機能ブロック図である。
【図１１】本発明の実施の形態５に係るプリンタにおける処理を説明するフローチャートである。
【図１２】本発明の実施の形態６に係るプリンタにおける処理を説明するフローチャートである。
【図１３】本実施の形態７に係るプリンタの機能構成を説明する機能ブロック図である。
【図１４】本発明の実施の形態７に係るプリンタにおける処理を説明するフローチャートである。
【図１５】本実施の形態８に係るプリンタの機能構成を説明する機能ブロック図である。
【図１６】本発明の実施の形態８に係るプリンタにおける処理を説明するフローチャートである。
【図１７】本実施の形態９に係るプリンタの機能構成を説明する機能ブロック図である。
【図１８】本実施の形態１０に係るプリンタの機能構成を説明する機能ブロック図である。
【図１９】本実施の形態に係るプリンタのキーを使用した印刷設定を説明するフローチャートである。
【図１】
2005020101.tif 000003
【図２】
2005020101.tif 000004
【図３】
2005020101.tif 000005
【図４】
2005020101.tif 000006
【図５】
2005020101.tif 000007
【図６】
2005020101.tif 000008
【図７】
2005020101.tif 000009
【図８】
2005020101.tif 000010
【図９】
2005020101.tif 000011
【図１０】
2005020101.tif 000012
【図１１】
2005020101.tif 000013
【図１２】
2005020101.tif 000014
【図１３】
2005020101.tif 000015
【図１４】
2005020101.tif 000016
【図１５】
2005020101.tif 000017
【図１６】
2005020101.tif 000018
【図１７】
2005020101.tif 000019
【図１８】
2005020101.tif 000020
【図１９】
2005020101.tif 000021